(57)【要約】      （修正有）【課題】簡素な構成にて、基材の振動を抑制することができる振動抑制装置を提供する。【解決手段】第１送風機からの送風によって浮上し、搬送されるシート状の基材５０の振動を抑制する振動抑制装置において、前記基材の搬送方向における前記第１送風機よりも上流側にて、前記基材の一面側及び他面側に配置された複数の第２送風機１１と、前記第２送風機に設けられており、前記基材の一面側及び他面側に配置され、前記基材に向けて突出した突部１３ｂを有する複数の導風部１３とを備え、前記第２送風機は基材側に送風していることを特徴とする振動抑制装置。【選択図】図３
2018062394.tif 000002
【特許請求の範囲】
【請求項１】
第１送風機からの送風によって浮上し、搬送されるシート状の基材の振動を抑制する振動抑制装置において、
前記基材の搬送方向における前記第１送風機よりも上流側にて、前記基材の一面側及び他面側に配置された複数の第２送風機と、
前記第２送風機に設けられており、前記基材の一面側及び他面側に配置され、前記基材に向けて突出した突部を有する複数の導風部と
を備え、
前記第２送風機は基材側に送風していること
を特徴とする振動抑制装置。
【請求項２】
前記搬送方向における前記第２送風機よりも上流側及び下流側それぞれに、前記導風部が設けられていること
を特徴とする請求項１に記載の振動抑制装置。
【請求項３】
複数の前記突部が前記搬送方向に並設されていること
を特徴とする請求項１又は２に記載の振動抑制装置。
【請求項４】
前記第２送風機から前記搬送方向又は搬送方向の逆方向に延びており、前記導風部を取り付ける取付板を備えること
を特徴とする請求項１から３のいずれか一つに記載の振動抑制装置。
【請求項５】
前記第２送風機は、
空気を吹き出す吹出口と、
空気を吸い込む吸込口と
を備え、
前記吹出口及び吸込口の間に前記導風部が設けられていること
を特徴とする請求項１から３のいずれか一つに記載の振動抑制装置。
【発明の詳細な説明】
【技術分野】
【０００１】
本発明は、送風によって浮上して搬送されるシート状の基材に生じた振動を抑制する振動抑制装置に関する。
【背景技術】
【０００２】
塗布装置は、例えばウェブの両面に液体を塗布して、乾燥機に搬送し、乾燥機内にて送風によってウェブを浮上させ、ウェブに塗布された液体を乾燥させる。乾燥機内での送風により、ウェブは振動する。振動はウェブを伝達し、ウェブに液体を塗布する塗布部まで到達し、ウェブに塗布された液体の表面に凹凸を生じさせ、品位の低下を招くおそれがある。
【０００３】
従来、ウェブの振動を吸収するウェブ振動吸収装置が提案されている（例えば特許文献１参照）。ウェブ振動吸収装置は、塗工後のウェブの両面に、均一な圧力が付与されるように、多孔質材料からなる吹出面及びディストリビュータ等を介して空気を送り、ウェブの振動を吸収する。
【先行技術文献】
【特許文献】
【０００４】
【特許文献１】特公平６−２９１０５号公報
【発明の概要】
【発明が解決しようとする課題】
【０００５】
しかし、ウェブ振動吸収装置は、多孔質材料からなる吹出面及びディストリビュータ等を必要とし、構成が複雑である。
【０００６】
本発明は斯かる事情に鑑みてなされたものであり、簡素な構成にて、基材の振動を抑制することができる振動抑制装置を提供することを目的とする。
【課題を解決するための手段】
【０００７】
本発明に係る振動抑制装置は、第１送風機からの送風によって浮上し、搬送されるシート状の基材の振動を抑制する振動抑制装置において、前記基材の搬送方向における前記第１送風機よりも上流側にて、前記基材の一面側及び他面側に配置された複数の第２送風機と、前記第２送風機に設けられており、前記基材の一面側及び他面側に配置され、前記基材に向けて突出した突部を有する複数の導風部とを備え、前記第２送風機は基材側に送風していることを特徴とする。
【０００８】
本発明においては、基材の搬送方向において、第１送風機よりも上流側に第２送風機を配置し、第２送風機に導風部を設ける。導風部に、基材に向けて突出した突部を設け、第２送風機から基材側に風を送る。
【０００９】
本発明に係る振動抑制装置は、前記搬送方向における前記第２送風機よりも上流側及び下流側それぞれに、前記導風部が設けられていることを特徴とする。
【００１０】
本発明においては、第２送風機よりも上流側及び下流側それぞれに導風部を更に設けて、第２送風機よりも上流側又は下流側にのみ導風部を設ける場合に比べて、基材の振動抑制効果を更に高める。
【００１１】
本発明に係る振動抑制装置は、複数の前記突部が前記搬送方向に並設されていることを特徴とする。
【００１２】
本発明においては、複数の突部を搬送方向に並設させることによって、基材の振動の抑制を実現する。
【００１３】
本発明に係る振動抑制装置は、前記第２送風機から前記搬送方向又は搬送方向の逆方向に延びており、前記導風部を取り付ける取付板を備えることを特徴とする。
【００１４】
本発明においては、取付板を設けることによって、導風部を容易に取り付けることができる。また基材に対する取付板の角度を予め設定しておくことによって、基材に対する導風部の角度を所望の角度に設定することができる。
【００１５】
本発明に係る振動抑制装置は、前記第２送風機は、空気を吹き出す吹出口と、空気を吸い込む吸込口とを備え、前記吹出口及び吸込口の間に前記導風部が設けられていることを特徴とする。
【００１６】
本発明においては、吹出口及び吸込口の間に導風部を設け、基材の振動を抑制する。
【発明の効果】
【００１７】
本発明に係る振動抑制装置にあっては、基材の搬送方向において、第１送風機よりも上流側に第２送風機を配置し、第２送風機よりも上流側に導風部を配置する。導風部に、基材に向けて突出した突部を設け、第２送風機から基材に風を送ることによって、基材の振動を抑制することができる。
【図面の簡単な説明】
【００１８】
【図１】実施の形態１に係る塗布装置を示す模式図である。
【図２】乾燥炉を略示する断面図である。
【図３】振動抑制装置を略示する拡大図である。
【図４】導風板を略示する斜視図である。
【図５】振動抑制装置の構成の一部を変更した変更例に係る乾燥炉を略示する断面図である。
【図６】実施の形態２に係る塗布装置の乾燥炉を略示する断面図である。
【図７】実施の形態３に係る塗布装置の振動抑制装置の構成を略示する拡大図である。
【発明を実施するための形態】
【００１９】
（実施の形態１）
以下本発明を実施の形態１係る塗布装置を示す図面に基づいて説明する。図１は、塗布装置を示す模式図である。
【００２０】
図１に示すように、塗布装置は、シート状の基材５０を支持して搬送する複数のローラ３と、基材５０の一面に液体を塗布する第１塗布部１と、基材５０の他面に液体を塗布する第２塗布部２と、両面に塗布された基材５０を乾燥させる乾燥炉４とを備える。
【００２１】
基材５０は複数のローラ３に掛架されており、所定の方向に搬送される。第１塗布部１は二つのローラ３の間に配置されている。第２塗布部２は乾燥炉４とローラ３との間に配置されている。図１の矢印にて示すように、基材５０は、第１塗布部１にてその一面が塗布され、第２塗布部２にてその他面が塗布された後、乾燥炉４に搬送される。基材５０の両面に塗布された液体は乾燥炉４にて乾燥し、基材５０は乾燥炉４から搬出され、巻き取りロール（図示略）に巻回される。
【００２２】
図２は、乾燥炉４を略示する断面図である。図２に示すように、乾燥炉４は、基材５０の搬送方向に貫通した入口４ａ及び出口４ｂを備える。入口４ａ及び出口４ｂは互いに反対側に配置されている。図２の矢印にて示すように、基材５０は入口４ａから出口４ｂに向けて搬送される。
【００２３】
乾燥炉４内には、複数の浮上用送風機５、５、・・・、５が設けられている。浮上用送風機５は第１送風機に対応する。基材５０の一面側において、複数の浮上用送風機５は基材５０の搬送方向に並設されており、基材５０の一面に対向している。
【００２４】
基材５０の他面側において、複数の浮上用送風機５は基材５０の搬送方向に並設されており、基材５０の他面に対向している。基材５０の一面側に並設された浮上用送風機５と基材５０の他面側に並設された浮上用送風機５とは千鳥状に配置されており、互いに対向しないように配置されている。
【００２５】
浮上用送風機５は、前記搬送方向における上流側部分及び下流側部分にそれぞれ吹出口５ａ、５ａを備える。吹出口５ａからは空気が吹き出される。二つの吹出口５ａ、５ａから吹き出された空気によって、二つの吹出口５ａ、５ａの間には正の静圧が発生し、該静圧によって基材５０は保持される。そのため、基材５０は浮上した状態で保たれ、搬送される。吹出口５ａからは温風が吹き出され、基材５０の両面に塗布された液体は、乾燥炉４内を搬送されている間に乾燥する。
【００２６】
乾燥炉４内には、最も入口４ａに近い浮上用送風機５よりも入口４ａ側に振動抑制装置１０が配置されている。換言すれば、振動抑制装置１０は、基材５０の搬送方向において、最も入口４ａに近い浮上用送風機５よりも上流側に配置されている。
【００２７】
図３は、振動抑制装置１０を略示する拡大図である。振動抑制装置１０は、互いに対向する二つの振動抑制用送風機１１、１１と、振動抑制用送風機１１から入口４ａ側（基材５０の搬送方向の逆方向）に突出した取付板１２と、該取付板１２に取り付けられた導風板１３とを備える。なお導風板１３は導風部に対応し、振動抑制用送風機１１は第２送風機に対応する。
【００２８】
振動抑制用送風機１１は直方体状をなす。一方の振動抑制用送風機１１は基材５０の一面に対向し、他方の振動抑制用送風機１１は基材５０の他面に対向する。振動抑制用送風機１１は、振動抑制用送風機１１の基材５０との対向面１１０に空気を吹き出す吹出口１１ａを備える。吹出口１１ａは前記対向面１１０の出口４ｂ側に形成されている。
【００２９】
取付板１２は、振動抑制用送風機１１の入口４ａ側に設けられており、その一面が基材５０に対向する。基材５０に対向する取付板１２の一面に導風板１３が取り付けられている。
【００３０】
図４は、導風板１３を略示する斜視図である。導風板１３は、矩形のベース板１３ａと、該ベース板１３ａの一面にて、ベース板１３ａの長手方向に並設された複数の突条１３ｂとを備える。突条１３ｂは、ベース板１３ａの長手方向に直交する方向に延びる。なお突条１３ｂは突部に対応する。
【００３１】
導風板１３は、突条１３ｂが基材５０に対向し且つ突条１３ｂの長手方向と基材５０の搬送方向とが直交するように、取付板１２に取り付けられている。図３の白抜き矢印にて示すように、吹出口１１ａから吹き出された空気の一部は、基材５０と振動抑制用送風機１１との間を、基材５０の搬送方向の逆方向に、基材５０に沿って移動し、更に基材５０と導風板１３との間、換言すれば基材５０と突条１３ｂとの間を移動する。
【００３２】
なお基材５０の搬送方向と同方向に風を送るように、振動抑制装置１０を構成してもよい。例えば、振動抑制用送風機１１の基材５０との対向面１１０において、吹出口１１ａを入口４ａ側に形成し、該吹出口１１ａから出口４ｂ側に空気を吹き出してもよい。この場合、取付板１２及び導風板１３は振動抑制用送風機１１の出口４ｂ側に設けられ、取付板１２は、基材５０の搬送方向に延びる。
【００３３】
浮上用送風機５から送風された空気は、コアンダ効果によって基材５０に沿って所定距離流れ、その後基材５０から離れる。空気が基材５０から離れる際に、基材５０の振動及びばたつきが発生すると考えられる。空気が基材５０から離れる箇所において、基材５０の両面に対し、搬送方向の略同じ位置に、基材５０の両面それぞれに対向する二つの吹出口１１ａ、１１ａから空気を吹き出すことによって、基材５０の振動抑制効果が増加すると考えられる。突条１３ｂを設けることによって、凹凸による乱流が発生し、圧力が減衰するので、空気が基材５０から離れる際に発生する基材５０の振動及びばたつきを抑制することができると考えられる。その結果、基材５０の両面に高精度で塗工することができる
【００３４】
基材５０に対する導風板１３の角度及び突条１３ｂの寸法は、基材５０の厚み、剛性及び幅（搬送方向に直角な方向の寸法）並びに基材５０に塗布した液体の厚さ（重量）等によって、適宜決定される。取付板１２の角度を変更することができるように、ヒンジを介して振動抑制用送風機１１に取付板１２を連結し、変更後の角度で取付板１２を固定できるように構成してもよい。この場合、取付板１２の角度を変更することによって、導風板１３の角度を変更することができる。
【００３５】
ベース板１３ａからの突条１３ｂの突出距離は、例えば１０ｍｍ以下であり、隣合う突条１３ｂ間の距離は、例えば１０ｍｍ以下である。また吹出口１１ａから吹き出される空気の風速は、例えば３０ｍ／ｓ以下である。また基材５０と突条１３ｂとの間の距離は、例えば１０ｃｍ以下である。
【００３６】
図５は、振動抑制装置１０の構成の一部を変更した変更例に係る乾燥炉を略示する断面図である。実施の形態１に係る振動抑制装置１０は、乾燥炉４の内側に設けられているが、乾燥炉４の外側に設けてもよい。例えば、図５に示すように、乾燥炉４の入口４ａと第２塗布部２との間に設けてもよい。
【００３７】
実施の形態１に係る振動抑制装置１０は、基材５０の搬送方向において、浮上用送風機５よりも上流側に振動抑制用送風機１１を配置し、振動抑制用送風機１１よりも上流側に導風板１３を配置する。導風板１３に、基材５０に向けて突出した突部を設け、振動抑制用送風機１１から搬送方向の逆方向又は搬送方向と同方向に風を送ることによって、基材５０の振動を抑制することができる。
【００３８】
また複数の突条１３ｂを搬送方向に並設させることによって、基材５０の振動の抑制を実現することができる。また取付板１２を設けることによって、導風板１３を容易に取り付けることができる。また基材５０に対する取付板１２の角度を予め設定しておくことによって、基材５０に対する導風板１３の角度を所望の角度に設定することができる。
【００３９】
なお取付板１２は振動抑制装置１０に必須の構成ではない。すなわち取付板１２を設けずに、導風板１３を振動抑制用送風機１１に取り付けてもよい。また振動抑制装置１０は乾燥炉４内又は乾燥炉４付近に設ける場合のみならず、振動が発生する基材５０の箇所であって、乾燥炉４から離れた箇所に設けてもよい。
【００４０】
（実施の形態２）
以下本発明を実施の形態２に係る塗布装置を示す図面に基づいて説明する。図６は、乾燥炉４を略示する断面図である。図６に示すように、乾燥炉４内には、最も入口４ａに近い浮上用送風機５よりも入口４ａ側に振動抑制装置１０が配置されている。換言すれば、振動抑制装置１０は、基材５０の搬送方向において、最も入口４ａに近い浮上用送風機５よりも上流側に配置されている。
【００４１】
更に、最も出口４ｂに近い浮上用送風機５よりも出口４ｂ側に振動抑制装置１０が更に配置されている。換言すれば、振動抑制装置１０は、基材５０の搬送方向において、最も出口４ｂに近い浮上用送風機５よりも下流側に配置されている。
【００４２】
出口４ｂ側においても、浮上用送風機５から送風された空気は、粘性によって基材５０に沿って所定距離流れ、その後基材５０から離れる。空気が基材５０から離れる際に、基材５０の振動及びばたつきが発生すると考えられる。空気が基材５０から離れる箇所において、振動抑制装置１０を設けることによって、基材５０の振動及びばたつきをより一層抑制し、基材５０の振動抑制効果を高めることができる。また振動抑制装置１０よりも上流側及び下流側それぞれに導風板１３を設けることによって、振動抑制装置１０よりも上流側又は下流側にのみ導風板１３を設ける場合に比べて、基材の振動抑制効果を更に高めることができる。
【００４３】
なお出口４ｂ側に設けた振動抑制装置１０は、出口４ｂよりも下流側、換言すれば、乾燥炉４の外側に配置してもよい。
【００４４】
実施の形態２に係る塗布装置の構成の内、実施の形態１と同様な構成については同じ符号を付し、その詳細な説明を省略する。
【００４５】
（実施の形態３）
以下本発明を実施の形態３に係る塗布装置を示す図面に基づいて説明する。図７は、振動抑制装置１０の構成を略示する拡大図である。振動抑制装置１０は、互いに対向する二つの振動抑制用送風機１１、１１を備える。
【００４６】
振動抑制用送風機１１は直方体状をなす。一方の振動抑制用送風機１１は基材５０の一面に対向し、他方の振動抑制用送風機１１は基材５０の他面に対向する。振動抑制用送風機１１は、空気を吹き出す吹出口１１ａと、空気を吸い込む吸気口１１ｂとを備える。吹出口１１ａ及び吸気口１１ｂは、振動抑制用送風機１１の基材５０との対向面１１０に形成されている。
【００４７】
吹出口１１ａ及び吸気口１１ｂの一方は、基材５０の搬送方向における上流側に設けられ、他方は下流側に設けられている。図７においては、吹出口１１ａが下流側、吸気口１１ｂが上流側に設けられているが、逆でもよい。
【００４８】
対向面１１０において、吹出口１１ａ及び吸気口１１ｂの間に、導風部１３０が設けられている。導風部１３０は、基材５０の搬送方向に沿って並設された複数の突条１３１を備える。複数の突条１３１は、対向面１１０に平行な方向であって、基材５０の搬送方向に直交する方向に延びる。なお突条１３１は突部に対応する。
【００４９】
図７の白抜き矢符にて示すように、吹出口１１ａから空気が基材５０側に吹き出されている。吹き出された空気は基材５０に沿って、吸気口１１ｂ側に移動し、吸気口１１ｂに吸い込まれる。二つの振動抑制用送風機１１、１１は、空気の流れによって基材５０の両面を挟み込む。
【００５０】
突条１３１を設けることによって、凹凸による乱流が発生し、圧力が減衰するので、空気が基材５０から離れる際に発生する基材５０の振動及びばたつきを抑制することができる。
【００５１】
例えば、振動抑制装置１０は、基材５０の搬送方向において、最も入口４ａに近い浮上用送風機５よりも上流側に配置される。振動抑制装置１０は更に、最も出口４ｂに近い浮上用送風機５よりも下流側に配置してもよい。
【００５２】
なお振動抑制装置１０は、基材５０における振動が発生する任意の箇所に設けることができる。したがって、振動抑制装置１０の設置箇所は入口４ａ付近又は出口４ｂ付近に限定されない。振動が発生する箇所が複数ある場合、各箇所に振動抑制装置１０を設けてもよい。
【００５３】
実施の形態３に係る塗布装置の構成の内、実施の形態１又は２と同様な構成については同じ符号を付し、その詳細な説明を省略する。
【００５４】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００５５】
１  第１塗布部
２  第２塗布部
４  乾燥炉
５  浮上用送風機（第１送風機）
１０  振動抑制装置
１１  振動抑制用送風機（第２送風機）
１２  取付板
１３  導風板（導風部）
１３ｂ  突条（突部）
５０  基材
【図１】
2018062394.tif 000003
【図２】
2018062394.tif 000004
【図３】
2018062394.tif 000005
【図４】
2018062394.tif 000006
【図５】
2018062394.tif 000007
【図６】
2018062394.tif 000008
【図７】
2018062394.tif 000009